(57)【要約】【課題】設置および撤去作業性に優れる日除けを提供する。【解決手段】日除けユニット１０は、支柱２０と、支柱２０の上部に固定されるとともに、長さ方向に通過したロープが側面方向から飛び出さないような形状を有するロープフック２２と、ロープフック２２を長さ方向に通過したロープの両端が結ばれた環状ロープ２４と、環状ロープ２４の端部が突出するように配置されるとともに、ロープフック２２を通過できないロープストッパ２６と、環状ロープ２４の端部につなぎ留められたシート１２と、ロープフック２２より下方で支柱２０に固定され、シート１２が上昇した状態で環状ロープ２４が回転しないように環状ロープ２４を固定するロープ固定具２８を有する。日除けユニット１０は、環状ロープ２４が回転することによりシート１２が上昇して日除けになる。【選択図】図２
0003179923.tif 000002
【実用新案登録請求の範囲】
【請求項１】
環状ロープと、ロープフックと、ロープストッパとを備え、前記環状ロープの端部につなぎ留めたシートを上昇させて日除けにする日除け部材であって、
前記環状ロープは、前記ロープフックを長さ方向に通過したロープの両端が結ばれたものであり、
前記ロープフックは、建物に固定されたときに、長さ方向に通過した前記ロープが側面方向から飛び出さないような形状を有し、
前記ロープストッパは、前記環状ロープの端部が突出するように配置されるとともに、前記ロープフックを通過できない形状を有し、
前記環状ロープを回転させることにより前記シートを上昇させる日除け部材。
【請求項２】
請求項１において、
前記シートが上昇した状態で前記環状ロープが回転しないように、前記環状ロープを固定するロープ固定具をさらに有する日除け部材。
【請求項３】
請求項１または２において、
前記ロープフックは、リング形状を有し、このリング内部を前記ロープが長さ方向に通過する日除け部材。
【請求項４】
支柱と、
前記支柱の上部に固定されるとともに、長さ方向に通過したロープが側面方向から飛び出さないような形状を有するロープフックと、
前記ロープフックを長さ方向に通過したロープの両端が結ばれた環状ロープと、
前記環状ロープの端部が突出するように配置されるとともに、前記ロープフックを通過できないロープストッパと、
前記環状ロープの端部につなぎ留められたシートとを有し、
環状ロープが回転することによりシートが上昇して日除けになる日除けユニット。
【請求項５】
請求項４において、
前記シートが上昇した状態で、前記環状ロープが回転しないように前記環状ロープを固定するロープ固定具をさらに有し、
前記ロープ固定具は、前記ロープフックより下方で前記支柱に固定される日除けユニット。
【請求項６】
請求項４または５において、
前記シートの隅に設けられた孔に前記環状ロープを通し、さらに前記ロープストッパを前記環状ロープにくぐらせて、前記環状ロープの端部に前記シートをつなぎ留める日除けユニット。
【考案の詳細な説明】
【技術分野】
【０００１】
本考案は、日光の照射を遮るための日除けユニットと、この日除けユニットに用いる日除け部材に関するものである。
【背景技術】
【０００２】
長方形のシートを広げ、その四隅をロープで高所に縛りつけて、日除けにすることが一般に行われている。シートの隅を高所に縛りつけたり高所から取り外したりするには、作業者が毎回脚立等を使って高所に上らなければならず、このような日除けは設置および撤去が面倒である。
【考案の概要】
【考案が解決しようとする課題】
【０００３】
本考案はこのような事情に鑑みてなされたものであり、設置および撤去作業性に優れる日除けを提供することを目的とする。
【課題を解決するための手段】
【０００４】
本考案の日除け部材は、環状ロープと、ロープフックと、ロープストッパとを備え、環状ロープの端部につなぎ留めたシートを上昇させて日除けにする日除け部材であって、環状ロープは、ロープフックを長さ方向に通過したロープの両端が結ばれたものであり、ロープフックは、建物に固定されたときに、長さ方向に通過したロープが側面方向から飛び出さないような形状を有し、ロープストッパは、環状ロープの端部が突出するように配置されるとともに、ロープフックを通過できない形状を有し、環状ロープを回転させることによりシートを上昇させる。
【０００５】
本考案の日除け部材において、シートが上昇した状態で環状ロープが回転しないように、環状ロープを固定するロープ固定具をさらに有していてもよい。また、本考案の日除け部材において、ロープフックは、リング形状を有し、このリング内部をロープが長さ方向に通過するのが好ましい。
【０００６】
本考案の日除けユニットは、支柱と、支柱の上部に固定されるとともに、長さ方向に通過したロープが側面方向から飛び出さないような形状を有するロープフックと、ロープフックを長さ方向に通過したロープの両端が結ばれた環状ロープと、環状ロープの端部が突出するように配置されるとともに、ロープフックを通過できないロープストッパと、環状ロープの端部につなぎ留められたシートとを有し、環状ロープが回転することによりシートが上昇して日除けになる。
【０００７】
本考案の日除けユニットにおいて、シートが上昇した状態で、環状ロープが回転しないように環状ロープを固定するロープ固定具をさらに有し、ロープ固定具は、ロープフックより下方で支柱に固定される。また、本考案の日除けユニットにおいて、シートの隅に設けられた孔に環状ロープを通し、さらにロープストッパを環状ロープにくぐらせて、環状ロープの端部にシートをつなぎ留めてもよい。
【考案の効果】
【０００８】
本考案によれば、設置および撤去作業性に優れる日除けが得られる。
【図面の簡単な説明】
【０００９】
【図１】本考案の実施形態に係る日除けユニットの斜視図である。
【図２】本考案の実施形態に係る日除けユニットの支柱付近の斜視図である。
【図３】本考案の実施形態に係る日除けユニットの環状ロープを作製する手順を示す斜視図である。
【図４】本考案の実施形態に係る日除けユニットのロープストッパに環状ロープを配置する手順を示す斜視図である。
【図５】本考案の実施形態に係る日除けユニットの環状ロープの端部にシートをつなぎ留める手順を示す斜視図である。
【図６】本考案の実施形態に係る日除けユニットのシートを上昇させる手順を示す斜視図である。
【図７】本考案の実施形態に係る日除けユニットの環状ロープを固定する手順を示す図である。
【考案を実施するための形態】
【００１０】
以下、本考案の日除けユニットおよびこれに用いる日除け部材について、図面を参照しながら実施形態に基づいて説明する。なお、本考案の日除け部材は、本考案の日除けユニットを構成する部材として、日除けユニットとともに説明する。図面は、日除けユニットおよび日除けユニットを構成する日除け部材等の各部材を模式的に表したものであり、これらの実物の寸法および寸法比は、図面上の寸法および寸法比と必ずしも一致していない。また、重複説明は適宜省略し、同一部材には同一符号を付与することがある。
【００１１】
図１は、本考案の実施形態に係る日除けユニット１０の斜視図である。日除けユニット１０は、支柱２０，５０，６０，７０と、ロープフック２２，５２，６２，７２と、環状ロープ２４，５４，６４，７４と、ロープストッパ２６，５６，６６，７６と、シート１２とを備える。日除けユニット１０は、環状ロープ２４，５４，６４，７４を鉛直方向に回転させることにより、環状ロープ２４，５４，６４，７４の端部につなぎ留められたシート１２を上昇させて日除けにする、図１は、シート１２が上昇した状態を示している。
【００１２】
支柱２０，５０，６０，７０は、底面が正方形の四角柱形状を有し、樹脂製である。支柱の形状は、四角柱以外の角柱や円柱等であってもよい。また、支柱の材質は、木材、木材を添加した樹脂、またはコンクリート等の無機素材であってもよい。支柱の数は４本以外であってもよい。
【００１３】
図２は、日除けユニット１０の支柱２０付近の斜視図である。なお、視線の向きは図１と異なる。日除け部材３０は、ロープフック２２と、環状ロープ２４と、ロープストッパ２６と、ロープ固定具２８とを備える。ロープフック２２は、図１および図２に示すように、支柱２０の上部、より詳しくは上面に固定されている。また、ロープフック２２は、支柱２０の上部に固定された状態で、長さ方向に通過したロープが側面方向から飛び出さないような形状を有している。本実施形態では、ロープフック２２は、リング形状部と、表面にらせん溝が形成された棒状部とを有し、棒状部の少なくとも一部が支柱２０の上部に埋め込まれている。そして、このリング内部をロープが長さ方向に通過している。
【００１４】
支柱２０の上部に固定された状態で、長さ方向に通過したロープが側面方向から飛び出さないような形状としては、本実施形態のロープフック２２以外に、Ｕ字形状、Ｖ字形状、Ｊ字形状等が挙げられる。Ｕ字形状、Ｖ字形状、Ｊ字形状のロープフックは、支柱２０に固定したときに、支柱２０とロープフックに囲まれる閉じた部分ができるため、ロープが側面方向から飛び出さない。なお、日除けユニット１０の使用中にロープが側面方向から飛び出さなければ、支柱２０とロープフックに囲まれる部分が完全に閉じなくてもよい。
【００１５】
環状ロープ２４は、ロープフック２２を長さ方向に通過したロープの両端を結んで作製される。結び方には特に制限がなく、ロープ同士を結んでもよいし、金属や樹脂等の部材を用いて結んでもよいが、日除け部材３０を簡易にかつ低価格で作製するためには、人手でロープ同士を結ぶのが好ましい。なお、本願においてロープとは、綱、縄、紐、糸等の物をつなぎ留めるのに用いるものをいい、材質、断面形状、長さ等には特に制限がない。
【００１６】
ロープストッパ２６は、中央に孔２６ａが形成された長方形の板形状を有する。詳細は後述するが、この孔２６ａに環状ロープ２４を通過させた後、孔２６ａ付近で、例えばだんご結びにすれば、ロープストッパ２６から環状ロープ２４の端部が突出した状態を保てる。だんご結びに代えて、他の結び方を採用してもよいし、金属や樹脂等の部材を用いて、ロープストッパ２６から環状ロープ２４の端部が突出した状態を保ってもよい。日除け部材３０を簡易にかつ低価格で作製するためには、人手でロープを結ぶのが好ましい。なお、環状ロープ２４の端部が突出するようにロープストッパ２６が配置できれば、ロープストッパ２６の形状、材質、大きさ等に制限がない。また、環状ロープ２４の端部は、少なくともロープストッパ２６を使って環状ロープ２４をシート１２につなぎ留められる長さが突出していればよい。
【００１７】
ロープストッパ２６は、ロープフック２２のリング部を通過できない。このため、ロープストッパ２６がロープフック２２に接触した状態で、すなわち、シート１２がほぼ最上部に位置した状態で固定できる。ロープストッパ２６は、環状ロープ２４の端部が突出するように配置されるとともに、ロープフック２２を通過できなければ、その形状、材質、大きさ等に制限がない。
【００１８】
ロープ固定具２８は、後述するように、Ｔ字形状を有する部材であり、ロープフック２２より下方で支柱２０に、より詳しくは支柱２０の側面にＴ字形状の底部が接触するように固定される（図７（ｂ）参照）。ロープ固定具２８は、シート１２が上昇した状態で環状ロープ２４が回転してシート１２が下降しないように、環状ロープ２４を固定する。環状ロープ２４の固定方法も後述する。なお、環状ロープ２４が固定できれば、ロープ固定具２８の形状、材質、大きさ等に制限はない。
【００１９】
シート１２は、環状ロープ２４の端部につなぎ留められる。詳細は後述する。シート１２は、四隅に孔１２ａ，１２ｂ，１２ｃ，１２ｄを備える長方形の形状を有し、樹脂製である。本実施形態ではシート１２が長方形であるが、シートの形状には特に制限がなく、円形、楕円形、三角形、長方形以外の四角形、五角形以上の多角形等のシートであってもよい。また、日除けとしての機能を発揮できれば、シートの材質にも特に制限がなく、化学繊維、天然繊維、不織布、よしず等の植物素材等からなるシートであってもよい。日除けユニット１０は、環状ロープ２４が鉛直方向に回転することによりシート１２が上昇して日除けになる。
【００２０】
図３は、ロープフック２２にロープを長さ方向に通過させた後、ロープの両端を結んで環状ロープ２４を作製する手順を示す。まず、図３（ａ）に示すように、ロープフック２２の内側にロープを長さ方向に通す。つぎに、図３（ｂ）に示すように、ロープフック２２の内側でロープを折り返すようにして、さらにロープの両端を揃え、揃えたロープの両端を例えばだんご結びで結ぶ。こうして、環状ロープ２４が作製される。そして、図３（ｃ）に示すように、環状ロープ２４を回転させて、環状ロープ２４の結び目をロープフック２２付近まで上昇させる。こうして、図３（ｃ）の状態における環状ロープ２４の下端部にロープストッパ２６を配置する次工程に備える。
【００２１】
図４は、ロープストッパ２６に、環状ロープ２４の端部が突出するように配置する手順を示す。まず、図４（ａ）に示すように、環状ロープ２４の端部をロープストッパ２６の孔２６ａに通す。つぎに、図４（ｂ）に示すように、ロープストッパ２６から突出した環状ロープ２４の端部を、孔２６ａ付近で例えばだんご結びにする。こうして、ロープストッパ２６から所定の長さだけ環状ロープ２４の端部が突出した状態を保てる。なお、本実施形態では、ロープストッパ２６は、この結び目から遠ざかる方向に移動できる。この移動を抑えるため、ロープストッパ２６を挟んだこの結び目の反対側にも、新たな結び目を設けてもよい。
【００２２】
図５は、環状ロープ２４の端部にシート１２をつなぎ留める手順を示す。まず、図５（ａ）に示すように、シート１２の隅に設けられた孔１２ａの下から環状ロープ２４を通す。つぎに、図５（ｂ）に示すように、環状ロープ２４の先端の内側にロープストッパ２６を下からくぐらせる。そして、図５（ｃ）に示すように、環状ロープ２４を引っ張って、環状ロープ２４の端部にシート１２をつなぎ留める。なお、図５（ａ）に示す工程に代えて、環状ロープ２４を孔１２ａの上から通してもよい。この場合、図５（ｂ）に示す工程では、ロープストッパ２６を環状ロープ２４の内側に上からくぐらせることになる。
【００２３】
図６は、シート１２を上昇させる手順を示す。まず、図６（ａ）に示すように、シート１２をつなぎ留めた環状ロープ２４を鉛直方向に回転させる。すると、図６（ｂ）に示すように、ロープストッパ２６とともにシート１２が上昇して、ロープストッパ２６がロープフック２２に突き当たった状態で止まる。こうして、シート１２が上昇して日除けとして機能する。
【００２４】
図７は、シート１２が上昇した状態で、環状ロープ２４をロープ固定具２８に固定する手順を示す。図７（ａ）は、ロープ固定具２８が固定された支柱２０の側面を正面から見たときの図で、図７（ｂ）は、ロープ固定具２８が固定された支柱２０の側面の左側から支柱２０を見たときの図である。まず、図７（ａ）に示すように、環状ロープ２４の下方をロープ固定具２８の周りに２回転させて、環状ロープ２４をロープ固定具２８に巻きつける。
【００２５】
つぎに、図７（ｂ）に示すように、環状ロープ２４の下方をロープ固定具２８の周りにさらに回転させて、環状ロープ２４のロープフック２２から下がっている部分と支柱２０の間に、環状ロープ２４の下方を挟み込む。こうして、環状ロープ２４がロープ固定具２８に固定される。環状ロープ２４をロープ固定具２８に固定する方法は、本実施形態に限定されない。環状ロープ２４をロープ固定具２８に縛りつけてもよいし、金属や樹脂等の部材を用いて環状ロープ２４をロープ固定具２８に固定してもよい。
【００２６】
日除けの撤去は、上記実施形態の逆の手順で行う。すなわち、まず、ロープ固定具２８から環状ロープ２４を取り外す。つぎに、環状ロープ２４を回転させてシート１２を下降させる。そして、シート１２から環状ロープ２４の先端を取り外す。その後、ロープストッパ２６を環状ロープ２４から取り外してもよいし、ロープストッパ２６を環状ロープ２４に取り付けたままでもよい。ロープストッパ２６を環状ロープ２４から取り外すと、図３（ｃ）に示すような状態になる。さらに、結び目が下になるように環状ロープ２４を回転して、図３（ｂ）に示すような状態にしてもよい。日除けを設置したい場所をこれらの状態にしておけば、必要に応じてシートを用いた日除けを簡単に設けることができる。このように、本考案の日除けユニットおよび日除け部材を用いれば、設置および撤去作業性に優れる日除けが得られる。
【００２７】
以上、実施形態に基づいて本考案の日除けユニットおよび日除け部材を説明したが、本考案の日除けユニットおよび日除け部材は上記実施形態に限定されない。例えば、三角形のシートの二頂点付近を家屋等の壁の上方に固定し、１本の支柱に設けられたロープフックを用いてシートの残りの一頂点付近を上昇させて、日除けとすることもできる。また、ロープフックが固定できる支柱以外の建物としては、家屋、壁、屋根、梁、棚のほか、車両、船舶、または樹木等が挙げられる。また、長方形等のシートを用いた日除けで、２本の支柱に固定されたロープフックを用いてシートの隣り合った二頂点付近を上昇させれば、この２本の支柱間の目隠しとして使用できる。
【符号の説明】
【００２８】
１０  日除けユニット
１２  シート
１２ａ，１２ｂ，１２ｃ，１２ｄ  孔
２０，５０，６０，７０  支柱
２２，５２，６２，７２  ロープフック
２４，５４，６４，７４  環状ロープ
２６，５６，６６，７６  ロープストッパ
２６ａ  孔
２８  ロープ固定具
３０  日除け部材
【図１】
0003179923.tif 000003
【図２】
0003179923.tif 000004
【図３】
0003179923.tif 000005
【図４】
0003179923.tif 000006
【図５】
0003179923.tif 000007
【図６】
0003179923.tif 000008
【図７】
0003179923.tif 000009